(57)【要約】【課題】エレクトリカルコネクターを提供する。【解決手段】エレクトリカルコネクターは絶縁台体、遮蔽殼体及び複数の導電端子を含む。該絶縁台体は収容空間を備える。該遮蔽殼体は該絶縁台体を包覆する。該各導電端子は基部を備え、該基部の一端は接触部を延伸し、該基部の反対端は基部に垂直に上方へと向いサポート部を延伸する。該サポート部の自由端延伸しアーチ部を形成し、該アーチ部の自由端は基部に垂直に下方へと延伸し挿入部を形成する。該基部は該絶縁台体に固定し、該接触部は該収容空間内に位置し、該挿入部は該絶縁台体外に位置し、しかも該絶縁台体の下端から一定の距離を隔てる。これにより、該エレクトリカルコネクターは側面の適当な位置により回路板上において固定され、該挿入部により回路板と連接し、こうして回路板とエレクトリカルコネクター組み立て後の全体高度を低くすることができ、相対的に空間を節約することができる。【選択図】図４
0003141771.tif 000002
【実用新案登録請求の範囲】
【請求項１】
エレクトリカルコネクターは絶縁台体、遮蔽殼体及び複数の導電端子を含み、
該絶縁台体は収容空間を備え、
該遮蔽殼体は該絶縁台体を包覆し、
該各導電端子は基部を備え、該基部は該絶縁台体上に固定し、該基部の一端は延伸し該収容空間内に位置する接触部を形成し、反対端は基部に垂直に上方へと向いサポート部を延伸し、該接触部及び該サポート部は該基部の同側に位置し、該サポート部の自由端は延伸しアーチ部を形成し、該アーチ部の自由端は該基部に垂直に下方へと延伸し挿入部を形成し、該挿入部は該絶縁台体外に位置し、しかも該絶縁台体下端から一定の距離を隔てることを特徴とするエレクトリカルコネクター。
【請求項２】
前記遮蔽殼体は相対する二個の遮蔽ウォールを備え、二個の遮蔽ウォール上にはそれぞれ収容収納口を設置し、該収容収納口の片側は該遮蔽殼体内部に向かい弾片を延伸し、該二個の遮蔽ウォールの間には別に蓋板を連接し、該蓋板の片側辺は遮蔽板を延伸し、該遮蔽板の相対する両側は挿入片を延伸し、
該絶縁台体は両側壁を備え、該各片側壁上には通孔を開設し、該弾片の自由端は通孔を貫通し、しかも該絶縁台体の収容空間内に伸入し、別に該絶縁台体は外へと突出した延伸部を備え、該延伸部上には係合槽を設置し、該挿入片は該係合槽内に挿入することを特徴とする請求項１記載のエレクトリカルコネクター。
【請求項３】
前記エレクトリカルコネクターはさらに第一ホールド部品を含み、該第一ホールド部品は該導電端子の基部に固定し、該第一ホールド部品の相対する両側には係合ブロックを設置し、
該絶縁台体は底壁を備え、該底壁上には凹口を設置し、該底壁の該凹口の両側位置には溝槽を設置し、該係合ブロックは該溝槽内に収容されることを特徴とする請求項１記載のエレクトリカルコネクター。
【請求項４】
前記エレクトリカルコネクターはさらに誤挿入防止装置を含み、該誤挿入防止装置は係合保持部、該係合保持部一端から傾斜延伸する弾性部、及び該弾性部から延伸する阻害部を含み、
該絶縁台体は頂壁及び側壁を備え、該頂壁と該側壁の相互に接する位置には係合保持槽を設置し、該係合保持部は該係合保持槽に収容され、該阻害部は該絶縁台体の収容空間内に位置することを特徴とする請求項１記載のエレクトリカルコネクター。
【考案の詳細な説明】
【技術分野】
【０００１】
本考案はコネクターに関する。特に回路板上に固定保持されるエレクトリカルコネクターに係る。
【背景技術】
【０００２】
特許文献１が掲示するエレクトリカルコネクターは絶縁台体及び該絶縁台体に収容される複数の導電端子を含む。
【０００３】
該エレクトリカルコネクターと回路板を組み立てると、該エレクトリカルコネクターは回路板の上面に位置するようになり、該エレクトリカルコネクターと回路板組み立て後の高度は絶縁台体の高度と回路板の厚みの和となる。これでは全体的高度が高過ぎる。
【０００４】
【特許文献１】米国特許第６,９１８,７９５号明細書
【考案の開示】
【考案が解決しようとする課題】
【０００５】
本考案が解決しようとする課題は、上記公知技術に存在する欠陥に対して、エレクトリカルコネクターと回路板の全体的高度を低下させることができ、こうして空間を節約することができるエレクトリカルコネクターを提供することである。
【０００６】
上記課題を解決するため、本考案は下記のエレクトリカルコネクターを提供する。それは絶縁台体、遮蔽殼体及び複数の導電端子を含み、
該絶縁台体は収容空間を備え、
該遮蔽殼体は該絶縁台体外を包覆し、
該各導電端子は基部を備え、該基部は該絶縁台体に固定し、基部の一端は延伸し、該収容空間内に位置する接触部を形成し、該基部の反対端は基部に垂直に上方へと向いサポート部を延伸し、該接触部及び該サポート部は該基部の同側に位置し、該サポート部の自由端は延伸しアーチ部を形成し、該アーチ部の自由端は該基部に垂直に下方へと延伸し挿入部を形成し、該挿入部は該絶縁台体外に位置し、該挿入部の端部は該絶縁台体の下端から一定の距離を隔て。
【０００７】
上記のように、本考案エレクトリカルコネクターの該各導電端子の挿入部は該絶縁台体下端から一定の距離を隔てるため、エレクトリカルコネクターは側面の適当な位置により回路板上において固定され、該挿入部により回路板と連接し、こうして回路板とエレクトリカルコネクター組み立て後の全体高度を低くすることができ、相対的に空間を節約することができる。
【課題を解決するための手段】
【０００８】
請求項１の考案は、エレクトリカルコネクターは絶縁台体、遮蔽殼体及び複数の導電端子を含み、
該絶縁台体は収容空間を備え、
該遮蔽殼体は該絶縁台体を包覆し、
該各導電端子は基部を備え、該基部は該絶縁台体上に固定し、該基部の一端は延伸し該収容空間内に位置する接触部を形成し、反対端は基部に垂直に上方へと向いサポート部を延伸し、該接触部及び該サポート部は該基部の同側に位置し、該サポート部の自由端は延伸しアーチ部を形成し、該アーチ部の自由端は該基部に垂直に下方へと延伸し挿入部を形成し、該挿入部は該絶縁台体外に位置し、しかも該絶縁台体下端から一定の距離を隔てることを特徴とするエレクトリカルコネクターとしている。
請求項２の考案は、前記遮蔽殼体は相対する二個の遮蔽ウォールを備え、二個の遮蔽ウォール上にはそれぞれ収容収納口を設置し、該収容収納口の片側は該遮蔽殼体内部に向かい弾片を延伸し、該二個の遮蔽ウォールの間には別に蓋板を連接し、該蓋板の片側辺は遮蔽板を延伸し、該遮蔽板の相対する両側は挿入片を延伸し、
該絶縁台体は両側壁を備え、該各片側壁上には通孔を開設し、該弾片の自由端は通孔を貫通し、しかも該絶縁台体の収容空間内に伸入し、別に該絶縁台体は外へと突出した延伸部を備え、該延伸部上には係合槽を設置し、該挿入片は該係合槽内に挿入することを特徴とする請求項１記載のエレクトリカルコネクターとしている。
請求項３の考案は、前記エレクトリカルコネクターはさらに第一ホールド部品を含み、該第一ホールド部品は該導電端子の基部に固定し、該第一ホールド部品の相対する両側には係合ブロックを設置し、
該絶縁台体は底壁を備え、該底壁上には凹口を設置し、該底壁の該凹口の両側位置には溝槽を設置し、該係合ブロックは該溝槽内に収容されることを特徴とする請求項１記載のエレクトリカルコネクターとしている。
請求項４の考案は、前記エレクトリカルコネクターはさらに誤挿入防止装置を含み、該誤挿入防止装置は係合保持部、該係合保持部一端から傾斜延伸する弾性部、及び該弾性部から延伸する阻害部を含み、
該絶縁台体は頂壁及び側壁を備え、該頂壁と該側壁の相互に接する位置には係合保持槽を設置し、該係合保持部は該係合保持槽に収容され、該阻害部は該絶縁台体の収容空間内に位置することを特徴とする請求項１記載のエレクトリカルコネクターとしている。
【考案の効果】
【０００９】
上記のように、本考案エレクトリカルコネクターの各導電端子の挿入部は絶縁台体下端から一定の距離を隔てるため、エレクトリカルコネクターは側面の適当な位置により回路板上において固定され、挿入部により回路板と連接し、こうして回路板とエレクトリカルコネクター組み立て後の全体高度を低くすることができ、相対的に空間を節約することができる。
【考案を実施するための最良の形態】
【００１０】
図１及び図２に示すように、本考案エレクトリカルコネクターは絶縁台体１、複数の導電端子２、遮蔽殼体３及び誤挿入防止装置４を含む。
【００１１】
該絶縁台体１は底壁１１及び頂壁１３を備える。該底壁１１は凹口１１１を備え、該凹口１１１は該底壁１１の片側辺から反対の片側辺に向かい陥没する。該底壁１１は該凹口１１１の両側位置に溝槽１１２を設置する。該底壁１１と該頂壁１３の端部の間には両側壁１２を連接し、該各片側壁１２上には通孔１２１及び収容収納孔１２２を設置する。該収容収納孔１２２は該通孔１２１に比べ該絶縁台体１の底壁１１からさらに離れる。該頂壁１３と該側壁１２の相互に接する位置には係合保持槽１３１を開設し、該係合保持槽１３１と該側壁１２の収容収納孔１２２は連通する。該頂壁１３、該側壁１２及び該底壁１１の端部には後壁１４を連接する。該後壁１４は該底壁１１において凹口１１１の一端を備え、しかもその該底壁１１に近い部分には収納槽１４１を設置する。該底壁１１、該側壁１２、該頂壁１３及び該後壁１４は収容空間１５を取り囲む。該絶縁台体１はさらに延伸部１６を備え、該延伸部１６は該絶縁台体１の外部に位置し、しかも該延伸部１６内部には収容収納空間１６１を形成する。該延伸部１６の側面上には嵌合ブロック１６２を設置し、定位柱１６３は該延伸部１６の端部から該絶縁台体１の底壁１１に向かい延伸する。該延伸部１６の該側壁１２に垂直な側面上には係合槽１６４を設置する。
【００１２】
該導電端子２は基部２１を備え、該基部２１の一端は接触部２２を延伸し、反対端は該基部２１に垂直に上方へと延伸しサポート部２３を形成する。該接触部２２及び該サポート部２３は該基部２１の同側に位置する。該サポート部２３は下方へと弧状を呈し延伸しアーチ部２４を形成し、該アーチ部２４は該基部２１に垂直に下方へと延伸し挿入部２５を形成する。該挿入部２５は該絶縁台体１の底壁１１から一定の距離を隔てる。
【００１３】
該遮蔽殼体３は相対する二個の遮蔽ウォール３１を備え、該各遮蔽ウォール３１上には収容収納口３１１を設置し、該収容収納口３１１の片側は該遮蔽殼体３内部に向い弾片３１２を延伸する。該遮蔽ウォール３１上には該弾片３１２から一定の距離を隔て固定柱３１３を設置する。該固定柱３１３の上方には嵌合孔３１４を設置する。該遮蔽殼体３の二個の遮蔽ウォール３１の間には蓋板３２を連接し、該蓋板３２の片側辺は遮蔽板３２１を延伸し、該遮蔽板３２１の相対する両側には挿入片３２２を設置する。
【００１４】
該誤挿入防止装置４は本実施例中では二個で、一枚の金属片をプレスし湾折形成し、係合保持部４１、該係合保持部４１の一端から下方へと傾斜湾折する弾性部４２、及び該弾性部４２から延伸する阻害部４３を含む。
【００１５】
エレクトリカルコネクターはさらに第一ホールド部品５、及び第二ホールド部品６を含む。該第一ホールド部品５は該導電端子２の基部２１に固定し、該第一ホールド部品５の相対する両側には係合ブロック５１を設置する。該第二ホールド部品６は該挿入部２５の中央部に位置する。
【００１６】
図４及び図５、並びに図１に示すように、該エレクトリカルコネクターの組み立て時には、該第一ホールド部品５両側の係合ブロック５１を該絶縁台体１の底壁１１両側の溝槽１１２に沿って滑動させ、これにより該導電端子２の接触部２２は該収納槽１４１を貫通する。こうして該第一ホールド部品５は該絶縁台体１の底壁１１の凹口１１１内に収容され、該導電端子２の基部２１は該絶縁台体１の底壁１１内に固定される。該導電端子２の接触部２２は該絶縁台体１の収容空間１５内に位置し、該導電端子２の挿入部２５は該絶縁台体１の外部に位置し、しかも該絶縁台体１の底壁１１から一定の距離を隔て、すなわち該延伸部１６の収容収納空間１６１内に位置する。続いて、該弾片３１２は該絶縁台体１上の通孔１２１を貫通し、しかも該収容空間１５内に伸入する。該遮蔽殼体３の嵌合孔３１４は該絶縁台体１の延伸部１６の嵌合ブロック１６２に嵌合し、これにより該遮蔽殼体３は該絶縁台体１上を包覆し、該遮蔽板３２１の挿入片３２２は該係合槽１６４内に挿入設置される。最後に、該誤挿入防止装置４の係合保持部４１は該絶縁台体１の頂壁１３の係合保持槽１３１内に係合保持され、これにより該誤挿入防止装置４の弾性部４２及び阻害部４３は該絶縁台体１の収容空間１５内に位置する。
【００１７】
図３及び図４に示すように、本考案エレクトリカルコネクターの使用時には、該遮蔽殼体３の遮蔽ウォール３１の固定柱３１３は回路板７上に固定される。該絶縁台体１の定位柱１２４は回路板７上に固定される。該導電端子２の挿入部２５は回路板７に挿入される。
【００１８】
上記のように、本考案エレクトリカルコネクターは該各導電端子２の挿入部２５が該絶縁台体１の底壁１１から一定の距離を隔てることで、エレクトリカルコネクターは側面の適当な位置により回路板７上において固定保持され、該挿入部２５と該回路板７により連接される。こうして回路板７とエレクトリカルコネクター組み立て後の全体的高度を低下させることができ、相対的に空間を節約することができる。
【図面の簡単な説明】
【００１９】
【図１】本考案エレクトリカルコネクター実施例の立体分解図である。
【図２】図１に示すエレクトリカルコネクターの別の角度の立体分解図である。
【図３】図１に示すエレクトリカルコネクターと回路板挿入接続後の立体図である。
【図４】図３のＩＶ−ＩＶ線に沿った断面図である。
【符号の説明】
【００２０】
１  絶縁台体
１１  底壁
１１１  凹口
１１２  溝槽
１２  側壁
１２１  通孔
１２２  収容収納孔
１３  頂壁
１３１  係合保持槽
１４  後壁
１４１  収納槽
１５  収容空間
１６  延伸部
１６１  収容収納空間
１６２  嵌合ブロック
１６３  定位柱
１６４  係合槽
２  導電端子
２１  基部
２２  接触部
２３  サポート部
２４  アーチ部
２５  挿入部
３  遮蔽殼体
３１  遮蔽ウォール
３１１  収容収納口
３１２  弾片
３１３  固定柱
３１４  嵌合孔
３２  蓋板
３２１  遮蔽板
３２２  挿入片
４  誤挿入防止装置
４１  係合保持部
４２  弾性部
４３  阻害部
５  第一ホールド部品
５１  係合ブロック
６  第二ホールド部品
７  回路板
【図１】
0003141771.tif 000003
【図２】
0003141771.tif 000004
【図３】
0003141771.tif 000005
【図４】
0003141771.tif 000006